(57)【要約】【課題】配信先が停止している時に受信した画像データを、簡単な操作で、配信先に配信することができるファクシミリ装置を提供する。【解決手段】ファクシミリ装置は、送信元から画像データを受信して、画像データを配信先に配信するファクシミリ装置であって、画像データを受信する受信部と、配信先への配信が可能でない場合、配信先を特定するための識別情報を印刷することにより、識別情報を出力する識別情報出力部と、配信先への配信が可能でない場合、画像データをファクシミリ装置の外部へ出力する画像データ出力部と、印刷された識別情報を読み取ることにより、出力された識別情報を取得する識別情報取得部と、出力された画像データをファクシミリ装置の外部から取得する画像データ取得部と、取得された識別情報により配信先を特定し、取得された画像データを配信先に配信する配信部とを備える。【選択図】図３
2011223534.tif 000002
【特許請求の範囲】
【請求項１】
送信元から画像データを受信して、前記画像データを配信先に配信するファクシミリ装置であって、
前記画像データを受信する受信部と、
前記配信先への配信が可能でない場合、前記配信先を特定するための識別情報を印刷することにより、前記識別情報を出力する識別情報出力部と、
前記配信先への配信が可能でない場合、前記画像データを前記ファクシミリ装置の外部へ出力する画像データ出力部と、
印刷された前記識別情報を読み取ることにより、出力された前記識別情報を取得する識別情報取得部と、
出力された前記画像データを前記ファクシミリ装置の外部から取得する画像データ取得部と、
取得された前記識別情報により前記配信先を特定し、取得された前記画像データを前記配信先に配信する配信部とを備える
ファクシミリ装置。
【請求項２】
前記識別情報出力部は、送信元ファクシミリ番号、差出人メールアドレス、メールタイトルおよび配信先アドレスのうちいずれかを含む情報を前記識別情報として出力する
請求項１に記載のファクシミリ装置。
【請求項３】
前記識別情報出力部は、前記識別情報を示すコード情報を印刷することにより、前記識別情報を出力し、
前記識別情報取得部は、前記コード情報を読み取ることにより、前記識別情報を取得する
請求項１または請求項２に記載のファクシミリ装置。
【請求項４】
前記識別情報出力部は、前記コード情報である一次元コードを印刷することにより、前記識別情報を出力し、
前記識別情報取得部は、前記一次元コードを読み取ることにより、前記識別情報を取得する
請求項３に記載のファクシミリ装置。
【請求項５】
前記識別情報出力部は、前記コード情報である二次元コードを印刷することにより、前記識別情報を出力し、
前記識別情報取得部は、前記二次元コードを読み取ることにより、前記識別情報を取得する
請求項３に記載のファクシミリ装置。
【請求項６】
前記識別情報出力部は、前記識別情報を示す文字情報、および、前記コード情報を印刷する
請求項３〜５のいずれか１項に記載のファクシミリ装置。
【請求項７】
前記画像データ出力部は、前記画像データを印刷することにより、前記画像データを出力し、
前記画像データ取得部は、印刷された前記画像データを読み取ることにより、出力された前記画像データを取得する
請求項１〜６のいずれか１項に記載のファクシミリ装置。
【請求項８】
前記識別情報出力部は、前記画像データが印刷される記録材に前記識別情報を印刷することにより、前記識別情報を出力する
請求項７に記載のファクシミリ装置。
【請求項９】
前記画像データ出力部は、前記配信先とは異なる代替配信先に前記画像データを出力し、
前記画像データ取得部は、出力された前記画像データを前記代替配信先から取得する
請求項１〜６のいずれか１項に記載のファクシミリ装置。
【請求項１０】
前記識別情報出力部は、前記代替配信先を特定するための情報を含む前記識別情報を出力する
請求項９に記載のファクシミリ装置。
【請求項１１】
前記識別情報出力部は、出力された前記画像データを特定するための情報を含む前記識別情報を出力する
請求項９または請求項１０に記載のファクシミリ装置。
【発明の詳細な説明】
【技術分野】
【０００１】
本発明は、送信元から受信した画像データを配信先に配信するファクシミリ装置に関する。
【背景技術】
【０００２】
従来、送信元から受信した画像データを配信先に配信するファクシミリ装置が普及している。
【０００３】
このようなファクシミリ装置は、送信元からＰＳＴＮ（Ｐｕｂｌｉｃ  Ｓｗｉｔｃｈｅｄ  Ｔｅｌｅｐｈｏｎｅ  Ｎｅｔｗｏｒｋ：公衆回線交換電話網）を介して画像データを受信する。そして、ファクシミリ装置は、受信した日付、および、送信元のファクシミリ番号等の受信情報に基づいて、配信先を特定する。
【０００４】
例えば、ＬＡＮ（Ｌｏｃａｌ  Ａｒｅａ  Ｎｅｔｗｏｒｋ）を介してファクシミリ装置に接続されたコンピュータ内のフォルダが配信先として特定される。そして、ファクシミリ装置は、特定された配信先に、画像データを配信する。
【０００５】
このようなファクシミリ装置によって、画像データが、所望の配信先に電子ファイルとして保存される。そして、ファクシミリ装置のユーザは、コンピュータを介して、配信された画像データを閲覧することができる。この時、画像データが所望の配信先に配信されているため、ユーザは、画像データを容易に見つけ出すことができる。すなわち、このようなファクシミリ装置によって、画像データの管理が容易になる。
【０００６】
このようなファクシミリ装置として、例えば、特許文献１に記載されたファクシミリ装置がある。
【先行技術文献】
【特許文献】
【０００７】
【特許文献１】特開２００２−２７１５３８号公報
【発明の概要】
【発明が解決しようとする課題】
【０００８】
しかしながら、送信元から受信した画像データを配信先に配信するファクシミリ装置は、配信先のコンピュータ等が停止している場合、受信した画像データを配信先に配信することができない。
【０００９】
このような場合、ファクシミリ装置は、配信先への配信が可能になるまで、受信した画像データを維持しなければならない。そのため、ファクシミリ装置には、維持している画像データを管理するための機能が必要とされる。画像データを管理するための機能は、ファクシミリ装置の構造を複雑にさせ、ユーザの操作も煩雑にさせる。
【００１０】
このような複雑な構造および煩雑な操作を避けるため、ファクシミリ装置は、受信した画像データを紙に印刷する場合がある。これにより、ファクシミリ装置は、画像データを維持しなくてもよい。しかし、画像データが紙に出力されるため、画像データの管理の容易性が損なわれる。
【００１１】
そこで、本発明は、配信先が停止している時に受信した画像データを、簡単な操作で、配信先に配信することができるファクシミリ装置を提供することを目的とする。
【課題を解決するための手段】
【００１２】
上記課題を解決するため、本発明に係るファクシミリ装置は、送信元から画像データを受信して、前記画像データを配信先に配信するファクシミリ装置であって、前記画像データを受信する受信部と、前記配信先への配信が可能でない場合、前記配信先を特定するための識別情報を印刷することにより、前記識別情報を出力する識別情報出力部と、前記配信先への配信が可能でない場合、前記画像データを前記ファクシミリ装置の外部へ出力する画像データ出力部と、印刷された前記識別情報を読み取ることにより、出力された前記識別情報を取得する識別情報取得部と、出力された前記画像データを前記ファクシミリ装置の外部から取得する画像データ取得部と、取得された前記識別情報により前記配信先を特定し、取得された前記画像データを前記配信先に配信する配信部とを備える。
【００１３】
これにより、ファクシミリ装置は、配信先が停止している時に受信した画像データを、簡単な操作で、配信先に配信することができる。また、ファクシミリ装置は、配信先が停止している時に受信した画像データを維持する必要がない。
【００１４】
また、前記識別情報出力部は、送信元ファクシミリ番号、差出人メールアドレス、メールタイトルおよび配信先アドレスのうちいずれかを含む情報を前記識別情報として出力してもよい。
【００１５】
これにより、ファクシミリ装置は、配信先が停止している時に受信した画像データを、最初に受信した時の受信情報に基づいて、所望の配信先に配信できる。
【００１６】
また、前記識別情報出力部は、前記識別情報を示すコード情報を印刷することにより、前記識別情報を出力し、前記識別情報取得部は、前記コード情報を読み取ることにより、前記識別情報を取得してもよい。
【００１７】
これにより、配信先を特定するための識別情報が、読み取りやすい形式で出力される。
また、前記識別情報出力部は、前記コード情報である一次元コードを印刷することにより、前記識別情報を出力し、前記識別情報取得部は、前記一次元コードを読み取ることにより、前記識別情報を取得してもよい。
【００１８】
これにより、出力される識別情報が、簡素化される。
また、前記識別情報出力部は、前記コード情報である二次元コードを印刷することにより、前記識別情報を出力し、前記識別情報取得部は、前記二次元コードを読み取ることにより、前記識別情報を取得してもよい。
【００１９】
これにより、配信先を特定するための識別情報が、読み取りやすい形式で出力され、かつ、より多くの情報が、識別情報に含められる。
【００２０】
また、前記識別情報出力部は、前記識別情報を示す文字情報、および、前記コード情報を印刷してもよい。
【００２１】
これにより、ユーザは、配信先を特定するための識別情報を文字情報として確認することができる。したがって、ユーザは、識別情報を参照して、配信先を判断できる。
【００２２】
また、前記画像データ出力部は、前記画像データを印刷することにより、前記画像データを出力し、前記画像データ取得部は、印刷された前記画像データを読み取ることにより、出力された前記画像データを取得してもよい。
【００２３】
これにより、配信先が停止している時にファクシミリ装置が受信した画像データは、紙等の記録材に印刷され出力される。したがって、ユーザは、配信されなかった画像データを紙等により確認できる。また、ファクシミリ装置は、出力された紙等を読み取ることにより、画像データを配信先に配信することができる。
【００２４】
また、前記識別情報出力部は、前記画像データが印刷される記録材に前記識別情報を印刷することにより、前記識別情報を出力してもよい。
【００２５】
これにより、画像データおよび識別情報が、同じ記録材に印刷される。したがって、画像データおよび識別情報の管理が容易になる。また、ファクシミリ装置は、記録材として用いられる紙等の消費を削減できる。
【００２６】
また、前記画像データ出力部は、前記配信先とは異なる代替配信先に前記画像データを出力し、前記画像データ取得部は、出力された前記画像データを前記代替配信先から取得してもよい。
【００２７】
これにより、配信先が停止している時にファクシミリ装置が受信した画像データは、電子データとして保存される。したがって、ファクシミリ装置は、紙等の消費を削減できる。
【００２８】
また、前記識別情報出力部は、前記代替配信先を特定するための情報を含む前記識別情報を出力してもよい。
【００２９】
これにより、ファクシミリ装置は、複数の代替配信先候補のうち、画像データの出力を受信した代替配信先を識別情報によって特定することができる。
【００３０】
また、前記識別情報出力部は、出力された前記画像データを特定するための情報を含む前記識別情報を出力してもよい。
【００３１】
これにより、ファクシミリ装置は、出力された画像データを識別情報によって特定することができる。
【発明の効果】
【００３２】
本発明により、配信先が停止している時に受信した画像データを、簡単な操作で、配信先に配信することができる。
【図面の簡単な説明】
【００３３】
【図１】図１は、実施の形態１におけるファクシミリ装置の概要を示す図である。
【図２】図２は、実施の形態１におけるファクシミリ装置の構造を示す図である。
【図３】図３は、実施の形態１におけるファクシミリ装置の特徴的な構成要素を示す図である。
【図４】図４は、実施の形態１におけるファクシミリ装置の受信処理の流れを示すフローチャートである。
【図５】図５は、実施の形態１におけるファクシミリ装置の配信処理の流れを示すフローチャートである。
【図６】図６は、実施の形態２におけるファクシミリ装置の概要を示す図である。
【図７】図７は、実施の形態２におけるファクシミリ装置の特徴的な構成要素を示す図である。
【図８】図８は、実施の形態２におけるファクシミリ装置の受信処理の流れを示すフローチャートである。
【図９】図９は、実施の形態２におけるファクシミリ装置の配信処理の流れを示すフローチャートである。
【発明を実施するための形態】
【００３４】
（実施の形態１）
まず、本発明に係る実施の形態１について、図面を用いて説明する。
【００３５】
図１は、実施の形態１におけるファクシミリ装置の概要を示す図である。
図１に示されたファクシミリ装置１０は、送信元１１によって送信された画像データを受信するファクシミリ装置である。画像データには、図形および文字等が含まれる。ファクシミリ装置１０は、ＰＳＴＮ１３に接続されており、また、配信先１２に接続するためのネットワークであるＬＡＮ１４にも接続されている。
【００３６】
送信元１１は、ファクシミリ装置１０に画像データを送信する装置であって、例えば、ファクシミリ装置、複合機またはコンピュータ等である。送信元１１は、ＰＳＴＮ１３に接続されている。
【００３７】
配信先１２は、ファクシミリ装置１０によって配信された画像データを受け取って、記憶するための装置であって、例えば、コンピュータまたは記憶装置等である。配信先１２は、ＬＡＮ１４を介して、ファクシミリ装置１０に接続されている。
【００３８】
図１に示されたように、ファクシミリ装置１０は、各機器に接続される。そして、ファクシミリ装置１０は、送信元１１から画像データを受信する。そして、ファクシミリ装置１０は、受信した画像データを配信先１２に配信する。配信先１２は、例えば、受信日時、および、送信元１１のファクシミリ番号である送信元ファクシミリ番号等の受信情報によって特定される。配信先１２は、予め定められていてもよい。
【００３９】
ファクシミリ装置１０は、配信先１２への配信が可能でない場合、配信先１２を特定するための識別情報を紙１５に印刷する。その後、ファクシミリ装置１０は、続いて、送信元１１から受信した画像データを紙１６に印刷する。これにより、ファクシミリ装置１０は、識別情報、および、画像データを出力する。ファクシミリ装置１０は、ＯＨＰ（ＯｖｅｒＨｅａｄ  Ｐｒｏｊｅｃｔｏｒ）シート等の紙以外の記録材に識別情報および画像データを印刷することにより、識別情報および画像データを出力してもよい。
【００４０】
紙１５に印刷された識別情報には、配信先１２を特定するための情報が含まれる。例えば、識別情報には、受信日時、および、送信元ファクシミリ番号等の受信情報等が含まれる。そして、識別情報は、ＱＲコード（登録商標）等の二次元コードにより示される。
【００４１】
ユーザは、配信先１２への配信が可能になった後、出力された紙１５および紙１６をファクシミリ装置１０に読み取らせる。より具体的には、ユーザは、ファクシミリ装置１０に備えられたスキャナに、紙１５に印刷された識別情報、および、紙１６に印刷された画像データを読み取らせる。ファクシミリ装置１０は、読み取った識別情報に基づいて、配信先１２を特定し、読み取った画像データを配信先１２に配信する。
【００４２】
これにより、配信先１２が停止している時にファクシミリ装置１０が受信した画像データが、簡単な操作で、配信先１２に配信される。また、ファクシミリ装置１０は、配信先１２が停止している時に受信した画像データを出力するため、画像データを維持する必要がない。
【００４３】
なお、図１において、１個の送信元１１が示されているが、複数の送信元があってもよい。また、図１において、２個の配信先１２が示されているが、１個の配信先または３個以上の配信先があってもよい。
【００４４】
また、ファクシミリ装置１０および送信元１１は、インターネットを介して相互に接続されていてもよい。そして、ファクシミリ装置１０は、インターネットファクシミリを利用して、送信元１１から画像データを受信してもよい。
【００４５】
例えば、図１に示されているように、ＭＦＰ（Ｍｕｌｔｉ  Ｆｕｎｃｔｉｏｎ  Ｐｒｉｎｔｅｒ：複合機）４１、または、ＰＣ（Ｐｅｒｓｏｎａｌ  Ｃｏｍｐｕｔｅｒ）４２が、送信元になる場合もある。ＭＦＰ４１またはＰＣ４２は、インターネットファクシミリを利用して、インターネット４０を介して、画像データを送信する。ファクシミリ装置１０は、送信された画像データを受信する。そして、ファクシミリ装置１０において、送信元１１から受信した場合と同様の処理が実行される。
【００４６】
また、インターネットファクシミリが利用される場合、配信先１２は、送信元１１のメールアドレスである差出人メールアドレス、および、メールタイトル等の受信情報によって特定されてもよい。そして、識別情報に、差出人メールアドレス、および、メールタイトル等の受信情報が含まれてもよい。
【００４７】
また、識別情報の形式は、二次元コードに限られず、ファクシミリ装置１０が読み取ることができる形式であればよい。例えば、識別情報は、他のコード情報で示されてもよい。ここで、コード情報とは、バーコード等の一次元コード、ＱＲコード（登録商標）等の二次元コード、および、その他の識別子のことである。
【００４８】
また、識別情報は、文字情報で示されてもよい。また、識別情報は、コード情報と文字情報との組み合わせで示されてもよい。これにより、ユーザは、文字で配信先等の情報を確認することができる。
【００４９】
図２は、図１に示されたファクシミリ装置１０の構造を示す図である。
ファクシミリ装置１０は、処理部として、ＣＰＵ（Ｃｅｎｔｒａｌ  Ｐｒｏｃｅｓｓｉｎｇ  Ｕｎｉｔ）２１を備える。また、ファクシミリ装置１０は、記憶部として、ＲＯＭ（Ｒｅａｄ  Ｏｎｌｙ  Ｍｅｍｏｒｙ）２２、および、ＲＡＭ（Ｒａｎｄｏｍ  Ａｃｃｅｓｓ  Ｍｅｍｏｒｙ）２４を備える。
【００５０】
また、ファクシミリ装置１０は、通信部として、モデム２６、ＮＣＵ（Ｎｅｔｗｏｒｋ  Ｃｏｎｔｒｏｌ  Ｕｎｉｔ）２７、および、ＬＡＮインタフェース３２を備える。また、ファクシミリ装置１０は、入出力インタフェースとして、操作パネル２８、ディスプレイ２９、スキャナ３０、および、プリンタ３１を備える。
【００５１】
また、ＲＯＭ２２には、制御プログラム２３が記憶されている。そして、ＲＡＭ２４には、配信先情報２５が記憶されている。
【００５２】
ＣＰＵ２１は、ＲＯＭ２２に格納された制御プログラム２３等を実行するプロセッサである。
【００５３】
ＲＯＭ２２は、制御プログラム２３等を保持する読み出し専用メモリである。
ＲＡＭ２４は、揮発性の記憶領域等を有する読み書き可能なメモリである。また、ＲＡＭ２４は、ＣＰＵ２１が制御プログラム２３等を実行する時にワークエリアとして使用される。また、ＲＡＭ２４は、配信先情報２５を保持している。配信先情報２５は、受信日時、送信元ファクシミリ番号、差出人メールアドレス、および、メールタイトル等によって配信先１２を特定するための設定情報である。配信先情報２５は、予め定められた配信先１２の情報であってもよい。
【００５４】
モデム２６は、外部へ送信する画像データを変調し、外部から送信された画像データを復調する装置である。
【００５５】
ＮＣＵ２７は、ＰＳＴＮ１３に接続される回線終端装置である。
操作パネル２８は、直接、ユーザがファクシミリ装置１０に指示をする時に用いられる入力インタフェース装置である。
【００５６】
ディスプレイ２９は、ユーザに動作状態を示すための液晶表示装置等である。
スキャナ３０は、原稿を読み取って、画像データを取得する画像読み取り装置である。
【００５７】
プリンタ３１は、印刷装置であり、ファクシミリ装置１０が受信した画像データを印刷することにより、受信した画像データを出力する。
【００５８】
ＬＡＮインタフェース３２は、ＬＡＮインタフェースカード等であり、データの送受信を行う通信インタフェース装置である。ＬＡＮインタフェース３２は、ＬＡＮ１４に接続される。また、インターネットに接続されていてもよい。
【００５９】
図３は、図１に示されたファクシミリ装置１０の特徴的な構成要素を示す図である。
図３に示されたファクシミリ装置１０は、受信部５１と配信部５２と識別情報出力部５３と画像データ出力部５４と識別情報取得部５５と画像データ取得部５６とを備える。
【００６０】
受信部５１は、図２に示されたＣＰＵ２１、モデム２６、ＮＣＵ２７およびＬＡＮインタフェース３２等によって実現される受信処理部である。受信部５１は、送信元１１から、通常のファクシミリ送信、または、インターネットファクシミリ送信を用いて送信された画像データを受信する。
【００６１】
識別情報出力部５３は、図２に示されたＣＰＵ２１およびプリンタ３１等によって実現される出力処理部である。識別情報出力部５３は、配信先１２への配信が可能でない場合、識別情報を紙１５に印刷することにより、識別情報を出力する。
【００６２】
画像データ出力部５４は、図２に示されたＣＰＵ２１およびプリンタ３１等によって実現される出力処理部である。画像データ出力部５４は、配信先１２への配信が可能でない場合、受信部５１が受信した画像データを紙１６に印刷することにより、画像データを出力する。
【００６３】
識別情報取得部５５は、図２に示されたＣＰＵ２１およびスキャナ３０等によって実現される入力処理部である。識別情報取得部５５は、紙１５に印刷された識別情報を読み取ることにより、識別情報を取得する。
【００６４】
画像データ取得部５６は、図２に示されたＣＰＵ２１およびスキャナ３０等によって実現される入力処理部である。画像データ取得部５６は、紙１６に印刷された画像データを読み取ることにより、画像データを取得する。
【００６５】
配信部５２は、図２に示されたＣＰＵ２１、ＬＡＮインタフェース３２等によって実現される送信処理部である。配信部５２は、配信先情報２５および受信情報を用いて、複数の配信先候補から配信先１２を特定する。また、配信部５２は、配信先１２への配信が可能であるか否かを判定する。そして、配信部５２は、配信先１２への配信が可能である場合、受信部５１によって受信された画像データを配信先１２に配信する。
【００６６】
また、配信部５２は、識別情報取得部５５が識別情報を取得した後、識別情報に基づいて、配信先１２を特定する。そして、配信部５２は、画像データ取得部５６が取得した画像データを配信先１２に配信する。
【００６７】
このようにして、ファクシミリ装置１０は、配信が可能である場合、配信先１２へ画像データを配信し、配信が可能でない場合、識別情報および画像データをファクシミリ装置１０の外部に出力する。これにより、ファクシミリ装置１０は、配信が可能でないときに受信した画像データを維持および管理しなくてもよい。配信が可能になった後、ファクシミリ装置１０は、出力された識別情報および画像データを取得することにより、画像データを配信先１２に配信する。
【００６８】
なお、識別情報出力部５３および画像データ出力部５４は、同一のプリンタ３１により実現されてもよい。これにより、識別情報および画像データが順次出力される。また、識別情報取得部５５および画像データ取得部５６は、同一のスキャナ３０により、実現されてもよい。これにより、識別情報および画像データが順次読み取られる。
【００６９】
図４は、図３に示されたファクシミリ装置１０の受信処理の流れを示すフローチャートである。
【００７０】
まず、受信部５１は、送信元１１から画像データを受信する（Ｓ１１）。
次に、配信部５２は、配信先１２への配信が可能であるか否かを判定する（Ｓ１２）。配信部５２は、例えば、配信先１２に接続を試行することによって、配信先１２への配信が可能であるか否かを判定する。また、複数の配信先候補がある場合、配信部５２は、受信情報に基づいて、配信先１２を特定する。そして、配信部５２は、特定した配信先１２への配信が可能であるか否かを判定する。
【００７１】
ここで、配信が可能である場合（Ｓ１２でＹｅｓ）、配信部５２は、通常の配信を実行する（Ｓ１３）。つまり、配信部５２は、受信情報に基づいて特定した配信先１２に、受信部５１が受信した画像データを配信する。
【００７２】
一方、配信が可能でない場合（Ｓ１２でＮｏ）、識別情報出力部５３は、識別情報を紙１５に印刷することにより、識別情報を出力する（Ｓ１４）。
【００７３】
続いて、画像データ出力部５４は、画像データを紙１６に印刷することにより、画像データを出力する（Ｓ１５）。
【００７４】
このようにして、ファクシミリ装置１０は、配信が可能である場合、配信先１２へ画像データを配信し、配信が可能でない場合、識別情報および画像データをファクシミリ装置１０の外部に出力する。
【００７５】
図５は、図３に示されたファクシミリ装置１０の配信処理の流れを示すフローチャートである。
【００７６】
まず、識別情報取得部５５は、紙１５に印刷された識別情報を読み取る（Ｓ２１）。これにより、識別情報取得部５５は、識別情報を取得する。
【００７７】
次に、画像データ取得部５６は、紙１６に印刷された画像データを読み取る（Ｓ２２）。これにより、画像データ取得部５６は、画像データを取得する。
【００７８】
次に、配信部５２は、識別情報取得部５５によって取得された識別情報に基づいて、配信先１２を特定する。そして、配信部５２は、画像データ取得部５６によって取得された画像データを配信先１２に配信する（Ｓ２３）。
【００７９】
このようにして、ファクシミリ装置１０は、出力された識別情報および画像データを取得することにより、取得した識別情報に基づいて、取得した画像データを配信先１２に配信する。なお、この時も配信が可能でない場合、ファクシミリ装置１０は、画像データを配信せず、エラー情報をディスプレイ２９に表示してもよい。
【００８０】
以上により、ファクシミリ装置１０は、配信先１２が停止している時に受信した画像データを、簡単な操作で、配信先１２に配信することができる。また、ファクシミリ装置１０は、配信先１２が停止している時に受信した画像データを維持する必要がないため、複雑な構成を必要としない。
【００８１】
また、ファクシミリ装置１０は、画像データを受信した時の受信情報に基づいて、画像データを配信先１２に配信できる。よって、画像データが適切に配信される。
【００８２】
また、画像データが紙１６に印刷されるため、ユーザは配信されなかった画像データを紙１６により確認できる。
【００８３】
なお、識別情報は、画像データが印刷される紙１６に印刷されてもよい。すなわち、識別情報と画像データとが同一の紙１６に印刷されてもよい。これにより、ファクシミリ装置１０は、出力する紙等を削減することができる。また、識別情報と画像データとを管理するための煩雑さが低減される。
【００８４】
また、ファクシミリ装置１０において、ファクシミリ送信の時に通常指定される送信先が指定されない場合、配信処理が実行されてもよい。これにより、通常のファクシミリ送信と同様の操作で、識別情報および画像データが読み取られ、配信される。
【００８５】
また、識別情報には、配信に用いられる紙１６の枚数が含まれてもよい。例えば、ファクシミリ装置１０が、複合機として、コピー機能および印刷機能等を有する場合がある。このような場合、配信に用いられる紙１６と、コピーまたは印刷された紙とが、混ざって出力される。ユーザが、それらの紙を一緒にファクシミリ装置１０に読み取らせた場合でも、紙１６の枚数が識別情報に含まれることにより、ファクシミリ装置１０は、配信に用いられる紙１６を判別することができる。
【００８６】
また、識別情報には、配信先１２の宛先を示す配信先アドレス等の配信先１２の情報が含まれてもよい。つまり、識別情報出力部５３は、受信情報等により特定される配信先１２の情報を識別情報として出力してもよい。この場合、識別情報取得部５５は、配信先１２の情報を識別情報として取得する。そして、配信部５２は、識別情報として取得された配信先１２の情報に基づいて、配信先１２を特定する。
【００８７】
また、実施の形態１では、配信部５２が、受信情報等に基づいて、配信先１２を特定しているが、他の処理部が、配信先１２を特定してもよい。また、実施の形態１では、配信部５２が、配信の可否を判定しているが、他の処理部が、配信の可否を判定してもよい。また、独立した制御部が、これらの処理を行ってもよい。
【００８８】
（実施の形態２）
次に、本発明に係る実施の形態２について、図面を用いて説明する。実施の形態２におけるファクシミリ装置は、受信した画像データを印刷せずに、受信した画像データを代替配信先に出力する。
【００８９】
図６は、実施の形態２におけるファクシミリ装置の概要を示す図である。
図６に示されたファクシミリ装置２０は、ファクシミリ装置１０と同様に、送信元１１によって送信された画像データを受信する。また、ファクシミリ装置２０は、送信元１１から受信した画像データを配信先１２に配信する。
【００９０】
代替配信先１７は、画像データを配信先１２の代わりに受け取って、記憶するための装置であって、例えば、コンピュータまたは記憶装置等である。代替配信先１７は、ＬＡＮ１４を介して、ファクシミリ装置２０に接続されている。
【００９１】
ファクシミリ装置２０は、配信先１２への配信が可能でない場合、識別情報を紙１５に印刷することにより、識別情報を出力する。また、ファクシミリ装置２０は、画像データを代替配信先１７に出力する。紙１５に印刷された識別情報には、実施の形態１に示された識別情報と同様に、受信情報および配信先１２の情報等が含まれる。
【００９２】
ユーザは、配信先１２への配信が可能になった後、ファクシミリ装置２０に備えられたスキャナに、紙１５に印刷された識別情報を読み取らせる。ファクシミリ装置２０は、読み取った識別情報に基づいて、配信先１２を特定する。また、ファクシミリ装置２０は、代替配信先１７から画像データを取得する。そして、ファクシミリ装置２０は、配信先１２に画像データを配信する。
【００９３】
これにより、ユーザは、配信先１２が停止している時に受信した画像データを、簡単な操作で、配信先１２に配信することができる。また、ファクシミリ装置２０は、配信先１２が停止している時に受信した画像データを出力するため、画像データを維持する必要がない。
【００９４】
実施の形態２におけるファクシミリ装置２０の構造は、図２に示された実施の形態１におけるファクシミリ装置１０の構造と同様である。実施の形態２におけるファクシミリ装置２０は、実施の形態１におけるファクシミリ装置１０と比較して、一部の処理が変更されている。
【００９５】
図７は、図６に示されたファクシミリ装置２０の特徴的な構成要素を示す図である。
図７に示された実施の形態２におけるファクシミリ装置２０は、図３に示された実施の形態１におけるファクシミリ装置１０と比較して、画像データ出力部６４および画像データ取得部６６の処理が変更されている。
【００９６】
画像データ出力部６４は、図２に示されたＣＰＵ２１およびＬＡＮインタフェース３２等によって実現される出力処理部である。画像データ出力部６４は、配信先１２への配信が可能でない場合、代替配信先１７に画像データを出力する。
【００９７】
画像データ取得部６６は、図２に示されたＣＰＵ２１およびＬＡＮインタフェース３２等によって実現される入力処理部である。画像データ取得部６６は、代替配信先１７から画像データを取得する。
【００９８】
これにより、ファクシミリ装置２０は、配信が可能でない場合、画像データを代替配信先１７に出力する。そして、配信が可能になった後、ファクシミリ装置２０は、出力された画像データを代替配信先１７から取得して、画像データを配信先１２に配信する。
【００９９】
なお、識別情報には、代替配信先１７の宛先を示す代替配信先アドレス等の代替配信先１７を特定するための情報が含まれてもよい。例えば、複数の代替配信先候補から代替配信先１７が特定される場合、識別情報出力部５３は、代替配信先アドレスを含む識別情報を出力する。そして、識別情報取得部５５は、代替配信先アドレスを含む識別情報を取得する。これにより、画像データ取得部６６は、識別情報に含まれる代替配信先アドレスにより特定される代替配信先１７から画像データを取得できる。
【０１００】
また、識別情報には、画像データに付与されたファイル名等の画像データを特定するための情報が含まれていてもよい。これにより、代替配信先１７に画像データが出力される時に、新たなファイル名が画像データに付与される場合でも、ファクシミリ装置２０は、識別情報により、出力された画像データを特定できる。
【０１０１】
また、識別情報は、実施の形態１と同様に、コード情報、文字情報、または、それらの組み合わせ等の形式で出力される。例えば、識別情報が、文字情報、または、文字情報とコード情報との組み合わせで出力された場合、ユーザは識別情報を文字情報により確認できる。さらに、代替配信先１７および画像データを特定するための情報を含む識別情報が文字情報として出力される場合、ユーザは代替配信先１７に出力された画像データを特定し、ＰＣ等を介して確認することができる。
【０１０２】
図８は、図７に示されたファクシミリ装置２０の受信処理の流れを示すフローチャートである。
【０１０３】
まず、受信部５１は、送信元１１から画像データを受信する（Ｓ３１）。
次に、配信部５２は、配信先１２への配信が可能であるか否かを判定する（Ｓ３２）。
【０１０４】
ここで、配信が可能である場合（Ｓ３２でＹｅｓ）、配信部５２は、通常の配信を実行する（Ｓ３３）。
【０１０５】
ここまでの処理は、実施の形態１と同様である。
実施の形態２では、配信が可能でない場合（Ｓ３２でＮｏ）、画像データ出力部６４は、画像データを代替配信先１７に出力する（Ｓ３４）。
【０１０６】
次に、識別情報出力部５３は、識別情報を紙１５に印刷することにより、識別情報を出力する（Ｓ３５）。
【０１０７】
このようにして、ファクシミリ装置２０は、配信が可能である場合、配信先１２へ画像データを配信し、配信が可能でない場合、識別情報および画像データをファクシミリ装置２０の外部に出力する。より具体的には、ファクシミリ装置２０は、画像データを代替配信先１７に出力し、識別情報を印刷する。これにより、画像データが代替配信先１７において保存される。
【０１０８】
なお、画像データ出力部６４が画像データを出力した後、識別情報出力部５３が識別情報を印刷している。このように、実施の形態１とは、出力の順番が逆であってもよい。
【０１０９】
また、画像データ出力部６４は、出力時、代替配信先１７において既に存在しているデータのファイル名とは、異なるファイル名を画像データに付与してもよい。この場合、画像データ出力部６４が画像データを出力した後、画像データを特定する情報が確定される。識別情報出力部５３は、画像データが出力された後に識別情報を印刷することにより、画像データを特定する情報であって、確定された情報を、識別情報に含めることができる。
【０１１０】
図９は、図７に示されたファクシミリ装置２０の配信処理の流れを示すフローチャートである。
【０１１１】
まず、実施の形態１と同様に、識別情報取得部５５は、紙１５に印刷された識別情報を読み取る（Ｓ４１）。これにより、識別情報取得部５５は、識別情報を取得する。
【０１１２】
次に、画像データ取得部６６は、画像データを代替配信先１７から取得する（Ｓ４２）。
【０１１３】
次に、実施の形態１と同様に、配信部５２は、識別情報取得部５５によって取得された識別情報に基づいて、配信先１２を特定する。そして、配信部５２は、画像データ取得部６６によって取得された画像データを配信先１２に配信する（Ｓ４３）。
【０１１４】
このようにして、ファクシミリ装置２０は、識別情報を読み取り、画像データを代替配信先１７から取得する。そして、ファクシミリ装置２０は、取得した識別情報に基づいて、取得した画像データを配信先１２に配信する。
【０１１５】
以上により、ファクシミリ装置２０は、配信先１２が停止している時に受信した画像データを、簡単な操作で、配信先１２に配信することができる。また、ファクシミリ装置２０は、配信先１２が停止している時に受信した画像データを維持する必要がないため、複雑な構成を必要としない。また、配信先１２が停止している時に受信した画像データは、電子データとして保存される。したがって、ファクシミリ装置２０は、出力する紙等を削減できる。
【０１１６】
以上、本発明に係るファクシミリ装置について、実施の形態１および実施の形態２に基づいて説明が、本発明はこれらの実施の形態に限定されるものではない。これらの実施の形態に対して当業者が思いつく変形を施して得られる別の形態も本発明に含まれる。また、これらの実施の形態における構成要素を任意に組み合わせて実現される別の形態も本発明に含まれる。
【０１１７】
また、本発明は、ファクシミリ装置として実現できるだけでなく、ファクシミリ装置を構成する処理手段をステップとする方法として実現できる。そして、本発明は、それらの方法に含まれるステップをコンピュータに実行させるプログラムとして実現できる。さらに、本発明は、そのプログラムを記憶したＣＤ−ＲＯＭ等のコンピュータ読み取り可能な記憶媒体として実現できる。
【産業上の利用可能性】
【０１１８】
本発明に係るファクシミリ装置は、配信先が停止している時に受信した画像データを配信先に配信することができ、例えば、複合機等に適用できる。
【符号の説明】
【０１１９】
１０、２０  ファクシミリ装置
１１  送信元
１２  配信先
１３  ＰＳＴＮ
１４  ＬＡＮ
１５、１６  紙
１７  代替配信先
２１  ＣＰＵ
２２  ＲＯＭ
２３  制御プログラム
２４  ＲＡＭ
２５  配信先情報
２６  モデム
２７  ＮＣＵ
２８  操作パネル
２９  ディスプレイ
３０  スキャナ
３１  プリンタ
３２  ＬＡＮインタフェース
４０  インターネット
４１  ＭＦＰ
４２  ＰＣ
５１  受信部
５２  配信部
５３  識別情報出力部
５４、６４  画像データ出力部
５５  識別情報取得部
５６、６６  画像データ取得部
【図１】
2011223534.tif 000003
【図２】
2011223534.tif 000004
【図３】
2011223534.tif 000005
【図４】
2011223534.tif 000006
【図５】
2011223534.tif 000007
【図６】
2011223534.tif 000008
【図７】
2011223534.tif 000009
【図８】
2011223534.tif 000010
【図９】
2011223534.tif 000011